(57)【要約】      （修正有）【課題】よりコンパクトな構成を有し、十分な高次共振性能が得られる光ピックアップ用対物レンズ駆動装置を提供する。【解決手段】対物レンズを保持するホルダは、対物レンズを取り付ける取り付け面５ｄと、取り付け面５ｄを囲うように接合された複数の側壁５ｅ、５ｆ、５ｇ、５ｈとを備え、隣接する側壁５ｅ、５ｆ、５ｇ、５ｈの端部同士が接合されていると共に、隣接する側壁５ｅ、５ｆ、５ｇ、５ｈの内面同士は補強壁５ｊ、５ｋ、５ｍ、５ｎにより連結されているので、ホルダの剛性を確保でき、十分な高次共振性能を得ることができる。【選択図】図５
2008159100.tif 000002
【特許請求の範囲】
【請求項１】
光源側から入射した光束を立ち上げミラーで反射させ、対物レンズを介して光ディスクに集光させる光ピックアップ装置用のレンズ駆動装置であって、
ベースと、
前記ベースに対して可動であり、対物レンズを保持するホルダと、
前記ホルダにおいて前記レンズを挟んで設けられた一対のコイルと、
前記一対のコイルにそれぞれ対向するようにして、前記ベースに取り付けられた一対の磁石とを有し、
前記ホルダは、前記対物レンズを取り付けた取り付け面と、前記取り付け面の周囲に接合された複数の側壁とを備え、隣接する前記側壁の端部同士が接合されていると共に、隣接する少なくとも一対の前記側壁の内面同士は補強壁により連結されていることを特徴とするレンズ駆動装置。
【請求項２】
前記補強壁に連結された側壁には、切欠が形成されていることを特徴とする請求項１に記載のレンズ駆動装置。
【請求項３】
前記切欠は、前記立ち上げミラーへの光束の入射側の前記側壁に形成されていることを特徴とする請求項２に記載のレンズ駆動装置。
【請求項４】
前記立ち上げミラーは、前記対物レンズの近傍に逃げ部を形成したことを特徴とする請求項１〜３のいずれかに記載のレンズ駆動装置。
【請求項５】
前記補強壁は、隣接する全ての前記側壁の内面同士を連結していることを特徴とする請求項１〜５のいずれかに記載のレンズ駆動装置。
【請求項６】
前記切欠には、面取り部が形成されていることを特徴とする請求項１〜５のいずれかに記載のレンズ駆動装置。
【請求項７】
前記補強壁は、テーパ部を有することを特徴とする請求項１〜６のいずれかに記載のレンズ駆動装置。
【請求項８】
前記切欠を通過する光束の光軸直交方向において、前記テーパ部は、前記面取り部よりも前記立ち上げミラーから離れて配置されていることを特徴とする請求項７に記載のレンズ駆動装置。
【発明の詳細な説明】
【技術分野】
【０００１】
本発明は、光ピックアップ装置用のレンズ駆動装置に関し、特に、コンパクトな構成を有するレンズ駆動装置に関する。
【背景技術】
【０００２】
ＣＤやＤＶＤに代表される光ディスクに対して、情報の記録及び／又は再生を行える光ピックアップ装置が開発されている。また、波長４００ｎｍ程度の青紫色半導体レーザを用いて、Ｂｌｕ−ｒａｙ  ＤｉｓｃやＨＤ  ＤＶＤなどの光ディスクに情報の記録／再生を行える光ピックアップ装置の開発も急速に進んでいる。ここで、光ピックアップ装置における、集光スポットを形成する対物レンズにおいては、情報の記録及び／又は再生時に、光ディスクの情報記録面に集光スポットを適切に結像させるためのフォーカシング動作と、光ディスクのトラックに適切に追従するトラッキング動作とが必要となっている。又、近年増大する傾向にあるＤＶＤの高速記録再生に対応させるべく、それらの動作に加えて、対物レンズの傾きを調整して収差補正を行うためのティルト動作も行われることが多くなってきている。加えて、ＨＤ  ＤＶＤの場合、基板厚が比較的厚く開口数も増大していることから、ティルト動作を精度良く行うことがより重要な課題となっている。そこで、特許文献１に示すように、対物レンズをフォーカシング、トラッキング、ティルト制御を行うため、小型のアクチュエータが設けられている。
【特許文献１】特開２００６−２６０７０４号明細書
【発明の開示】
【発明が解決しようとする課題】
【０００３】
ところで、ノート型パソコン等に搭載される、いわゆるスリム又はウルトラスリムタイプの光ピックアップ装置には、厚み方向の制約を維持しつつ、サイズを成り立たせるため、片持型のアクチュエータを用いることが多い。しかしながら、構造上高次共振性能を大きく改善できずアクチュエータの広帯域化が困難であるという問題や、誤差感度が非常に高く動作時の振動、衝撃、環境変化等により著しく性能が劣化し制御が不安定になりやすく、それ故、対物レンズに対して対称位置に駆動コイルが配置される対称型アクチュエータの方が好ましいといえる。しかしながら、対称型アクチュエータにしても薄形化を図るためには、立ち上げミラーを、対物レンズを保持するホルダ内に格納する必要があり、剛性が高い形状を構成することが難しい。
【０００４】
特に、近年においては広帯域化を確保すべく、より高次共振性能を高めたいという要請がある。ところが、高次共振性能を高めるべく、対物レンズを保持するホルダの肉厚を増大させる等により単に剛性を単に高めるのみでは、コンパクト化が図れなくなったり、重量増により逆に高次共振性能の悪化や感度の悪化等を招きデメリットが大きくなる。そのため、ホルダはよりコンパクトで軽量な形として、なおかつ共振が発生しないように剛性のバランスがとれた特異な形状を工夫する必要がある。
【０００５】
本発明は、かかる問題点に鑑みて成されたものであり、コンパクト且つ軽量でありながらも、剛性が高く十分な高次共振性能を得ることができるレンズ駆動装置を提供することを目的とする。
【課題を解決するための手段】
【０００６】
請求項１に記載のレンズ駆動装置は、光源側から入射した光束を立ち上げミラーで反射させ、対物レンズを介して光ディスクに集光させる光ピックアップ装置用のレンズ駆動装置であって、
ベースと、
前記ベースに対して可動であり、対物レンズを保持するホルダと、
前記ホルダにおいて前記レンズを挟んで設けられた一対のコイルと、
前記一対のコイルにそれぞれ対向するようにして、前記ベースに取り付けられた一対の磁石とを有し、
前記ホルダは、前記対物レンズを取り付けた取り付け面と、前記取り付け面の周囲に接合された複数の側壁とを備え、隣接する前記側壁の端部同士が接合されていると共に、隣接する少なくとも一対の前記側壁の内面同士は補強壁により連結されていることを特徴とする。
【０００７】
本発明によれば、前記ホルダは、前記対物レンズを取り付けた取り付け面と、前記取り付け面の周囲に接合された複数の側壁とを備え、隣接する前記側壁の端部同士が接合されていると共に、隣接する少なくとも一対の前記側壁の内面同士は補強壁により連結されているので、コンパクト且つ軽量化を図りながらも、前記ホルダの剛性を確保でき、十分な高次共振性能を得ることができる。
【０００８】
請求項２に記載のレンズ駆動装置は、請求項１に記載の発明において、前記補強壁に連結された側壁には、切欠が形成されていることを特徴とするので、例えばホルダのバランスの最適化や周囲部品との干渉を抑制することができる。
【０００９】
請求項３に記載の光ピックアップ装置は、請求項２に記載の発明において、前記切欠は、前記立ち上げミラーへの光束の入射側の前記側壁に形成されていることを特徴とする。例えばスリムもしくはウルトラスリムタイプのような光ピックアップ装置用のレンズ駆動装置の場合、前記立ち上げミラーを前記ホルダに近接して配置する必要があるが、かかる場合、前記ホルダに切欠を設けることで、前記立ち上げミラーに入射する光束を制限することが抑制される。
【００１０】
請求項４に記載の光ピックアップ装置は、請求項１〜３のいずれかに記載の発明において、前記立ち上げミラーは、前記対物レンズの近傍に逃げ部を形成したことを特徴とするので、前記立ち上げミラーと前記ホルダとの干渉及び前記補強壁との干渉を回避できる。
【００１１】
請求項５に記載の光ピックアップ装置は、請求項１〜４のいずれかに記載の発明において、前記補強壁は、隣接する全ての前記側壁の内面同士を連結していることを特徴とするので、高次共振性能に優れたホルダを得ることができる。
【００１２】
請求項６に記載の光ピックアップ装置は、請求項１〜５のいずれかに記載の発明において、前記切欠は、面取り部が形成されていることを特徴とするので、立ち上げミラーとの干渉を回避しながら、更に高次共振性能に優れたホルダを得ることができる。
【００１３】
請求項７に記載の光ピックアップ装置は、請求項１〜６のいずれかに記載の発明において、前記補強壁はテーパ部を有することを特徴とするので、立ち上げミラーとの干渉を回避しながら、更に高次共振性能に優れたホルダを得ることができる。
【００１４】
請求項８に記載の光ピックアップ装置は、請求項７に記載の発明において、  前記切欠を通過する光束の光軸直交方向において、前記テーパ部は、前記面取り部よりも前記立ち上げミラーから離れて配置されていることを特徴とするので、立ち上げミラーとの干渉を回避しながら、更に高次共振性能に優れたホルダを得ることができる。
【発明の効果】
【００１５】
本発明によれば、よりコンパクトな構成を有し、十分な高次共振性能を得ることができるレンズ駆動装置を提供することができる。
【発明を実施するための最良の形態】
【００１６】
以下、図面を参照して、本発明の実施の形態をさらに詳細に説明する。図１は、本実施の形態にかかるレンズ駆動装置の斜視図である。ヨークを兼ねた板状のベース１は、不図示の光ピックアップ装置のハウジングに固定される。ベース１上には、筐体２が固定されている。筐体２の図で手前側には、基板３が取り付けられている。基板３には、片側で３本ずつ、合計６本のワイヤ４の一端が固定されており、各側のワイヤ４は、上下方向に等間隔で平行に並べられ且つベース１に沿って延在している。ワイヤ４の他端は、ホルダ５の側面に取り付けられた固定具１４にハンダ付けされている。ワイヤ４は、ベース１に対してホルダ５を移動可能に支持する機能と、不図示の配線が接続される基板３から、コイルに対して給電するための機能とを有する。なお、筐体２内には、ワイヤ４のダンピング効果のあるジェル（不図示）が充填されている。
【００１７】
ベース１に対して可動となっている樹脂製のホルダ５は、図１に示すようにバランスに優れた略十字形であり、中央の円形開口（不図示）内に対物レンズ６を装着している。この対物レンズ６は、光ピックアップ装置において、光ディスクの情報記録面にレーザ光束を集光するために用いられる。又、ホルダ５は、両側に２つの矩形開口５ａ（手前側のみ図示）を形成している。
【００１８】
手前側の矩形開口５ａ内には、Ｌ字状の板を背中合わせにしたヨーク７Ａ、８Ａが上方より延在している。矩形開口５ａ内には、ヨーク７Ａ，８Ａの周囲を巻回するようにして第１コイル群Ｇ１が配置されている。第１コイル群Ｇ１に対し、矩形開口５ａを隔てて手前側には磁石１０Ａが配置され、奥側には磁石１０Ｂが配置されている。磁石１０Ａはヨーク７Ｂに裏打ちされ、磁石１０Ｂはヨーク８Ｂに裏打ちされている。ヨーク７Ｂ、８Ｂはベース１の一部であり、ヨーク７Ｂの上端にはヨーク７Ａの端部が連結され、ヨーク８Ｂの上端にはヨーク８Ａの端部が連結されている。第１コイル群Ｇ１と磁石１０Ａ及び１０Ｂとの間には、第１コイル群Ｇ１と巻軸線が直交するように巻かれたトラッキングコイル１１Ａ、１１Ｂが配置されている。
【００１９】
一方、矩形開口５ａに対し対物レンズ６を挟んで奥側の矩形開口内には、Ｌ字状の板を背中合わせにしたヨーク７Ｃ、８Ｃが上方より延在している。矩形開口内には、ヨーク７Ｃ，８Ｃの周囲を巻回するようにして第２コイル群Ｇ２が配置されている。第２コイル群Ｇ２に対し、矩形開口を隔てて手前側には磁石１０Ｃが配置され、奥側には磁石１０Ｄが配置されている。磁石１０Ｃはヨーク７Ｃに裏打ちされ、磁石１０Ｄはヨーク８Ｄに裏打ちされている。ヨーク７Ｄ、８Ｄはベース１の一部であり、ヨーク７Ｄの上端にはヨーク７Ｃの端部が連結され、ヨーク８Ｄの上端にはヨーク８Ｃの端部が連結されている。第２コイル群Ｇ２と磁石１０Ｃ及び１０Ｄとの間には、第２コイル群Ｇ２と巻軸線が直交するように巻かれたトラッキングコイル（図１で不図示、図２の１１Ｄ）が配置されている。
【００２０】
図２は、本実施の形態のレンズ駆動装置におけるホルダ周辺を、図１の矢印II方向から見た図である。中空のホルダ５は、その側面に下方に向かうにつれて拡幅した切欠５ｃを形成しており、その内部に立ち上げミラー１５が対物レンズ６に接近した状態で配置されている。
【００２１】
図３は、立ち上げミラー１５の斜視図である。立ち上げミラー１５は、鏡面１５ｂの背面側に、逃げ部としてのテーパ面１５ａ、１５ａを形成している。テーパ面１５ａ、１５ａを形成することによって、立ち上げミラー１５やホルダ５との干渉及び後述する補強壁との干渉が回避される。
【００２２】
次に、本実施の形態にかかるレンズ駆動装置の動作について説明する。ここでは、第１コイル群Ｇ１と第２コイル群Ｇ２は、それぞれ外側コイルと内側コイルとを２層に有しているものとする。但し、コイルは一層だけでも良い。
【００２３】
ワイヤ４を介して給電されたとき、第１のコイル群Ｇ１の外側コイルと第２のコイル群Ｇ２の外側コイルには、同じ電流値で同じ方向（ここでは時計回り）に電流が流れるため、フレミングの左手の法則により、２つのコイルには、図で上方に向かう磁力がそれぞれ生じる。従って、第１コイル群Ｇ１と第２コイル群Ｇ２が固定されたホルダ５は、図で上方に移動することなり、それにより対物レンズ６を光軸方向に移動させることでフォーカシング動作を実現することができる。なお、電流の向きを逆にすれば、ホルダ５は下方に移動する。
【００２４】
一方、第１のコイル群Ｇ１の内側コイルには、時計回りの方向に電流を流し、第２のコイル群Ｇ２の内側コイルには、反時計回りの方向に電流を流すと、フレミングの左手の法則により、一方の内側コイルには、図で上方に向かう磁力が生じ、他方の内側コイルには、図で下方に向かう磁力が生じる。従って、光軸の位置を中心としてホルダ５を傾けるモーメントが作用することとなる。これにより対物レンズ６を傾けるティルト動作を実現することができる。なお、電流の向きを逆にすれば、ホルダ５は逆側に傾く。チルト調整動作を外側コイルを用いて行い、フォーカシング動作を内側コイルを用いて行っても良い。
【００２５】
更に、トラッキングコイル１１Ａ〜１１Ｄに電流を流すことで、ホルダ５を対物レンズ６と共に、光軸に直交する方向に移動可能となっており、それによりトラッキング動作を行うことができる。
【００２６】
（実施例）
図４は、比較例１にかかるホルダ５Ａを斜め下方から見た斜視図である。図４において、ホルダ５Ａは、大筐体５Ｘの両側に小筐体５Ｙ、５Ｙを配置した形状を有する。小筐体５Ｙ、５Ｙには、ワイヤ４が接合される。大筐体５Ｘは、対物レンズ６（図１）を取り付けるための開口５ａが形成された矩形状の取り付け面５ｄと、取り付け面５ｄを囲うように各辺に接合された４つの側壁５ｅ、５ｆ、５ｇ、５ｈとを備えており、取り付け面５ｄに対向する側は開放している。
【００２７】
隣接する側壁５ｅ、５ｆ、５ｇ、５ｈの端部同士は互いに接合されている。小筐体５Ｙ、５Ｙは、側壁５ｆ、５ｈにそれぞれ接続されている。一方、側壁５ｅには、取り付け面５ｄと反対側の縁に、立ち上げミラー１５に入射する光束を制限しないような略半円形状の切欠５ｃが形成されている。又、側壁５ｇには、取り付け面５ｄと反対側の縁に、周囲部品との干渉を回避したりバランス取りのたの細長い段状の切欠５ｉが形成されている。
【００２８】
図５は、実施例１にかかるホルダ５Ｂを斜め下方から見た斜視図である。図５において、隣接する全ての側壁５ｅ、５ｆ、５ｇ、５ｈの内面同士は、それぞれ補強壁５ｊ、５ｋ、５ｍ、５ｎにより連結されている。それ以外の構成は、図４に示す比較例１と同様である。
【００２９】
図６は、実施例２にかかるホルダ５Ｃを斜め下方から見た斜視図である。図６において、側壁５ｅにおいて、切欠５ｃの両側に面取り部５ｐ、５ｐが形成され、また側壁５ｇにおいて、切欠５ｉの両側に面取り部５ｑ、５ｑが形成されている。更に、面取り部５ｐ、５ｑに対応して、補強壁５ｊ、５ｋ、５ｍ、５ｎにはそれぞれテーパ部５ｒ，５ｓ，５ｔ，５ｕが形成されている。実施例２では、ワイヤ４の延在方向（立ち上げミラーへの光束の入射方向）に見たときに、面取り部５ｐ、５ｑと、テーパ部５ｒ，５ｓ，５ｔ，５ｕとは重なる（同一仮想平面に含まれる）ようになっている。それ以外の構成は、図５に示す実施例１と同様である。
【００３０】
図７は、比較例２にかかるホルダ５Ｄを斜め下方から見た斜視図である。図７において、側壁５ｅにおいて、切欠５ｃの両側に面取り部５ｐ、５ｐが形成され、また側壁５ｇにおいて、切欠５ｉの両側に面取り部５ｑ、５ｑが形成されている。それ以外の構成は、図４に示す比較例１と同様である。
【００３１】
図８は、実施例３にかかるホルダ５Ｅを斜め下方から見た斜視図である。図８において、側壁５ｅ、５ｆ、５ｇ、５ｈと、補強壁５ｊ、５ｋ、５ｍ、５ｎとの間に同じ素材を充填したものである。それ以外の構成は、図６に示す実施例２と同様である。
【００３２】
図９は、実施例４にかかるホルダ５Ｆを斜め下方から見た斜視図である。図９において、図５に示す実施例１（面取り部を有しない）の構成に対し、側壁５ｅ、５ｆ、５ｇ、５ｈと、補強壁５ｊ、５ｋ、５ｍ、５ｎとの間に同じ素材で充填している。それ以外の構成は、図５に示す実施例１と同様である。
【００３３】
図１０は、比較例１のホルダと実施例１のホルダについて、フォーカシング方向における周波数特性をシミュレーションで解析したグラフである。図１１は、比較例１のホルダと実施例１のホルダについて、トラッキング方向における周波数特性をシミュレーションで解析したグラフである。図１０、１１から明らかなように、補強壁５ｊ、５ｋ、５ｍ、５ｎを設けた実施例１は、補強壁を有しない比較例１に対して、共振点が高周波側に移動し且つ振幅が小さくなっており、レンズ駆動装置の広帯域化を図れることがわかる。
【００３４】
図１２は、実施例１のホルダと実施例２のホルダについて、フォーカシング方向における周波数特性をシミュレーションで解析したグラフである。図１３は、実施例１のホルダと実施例２のホルダについて、トラッキング方向における周波数特性をシミュレーションで解析したグラフである。図１２，１３から明らかなように、特にトラッキング方向において、同じように補強壁を設けたホルダでも、面取り部を設けた方が、共振点が高周波側に移動し且つ振幅が小さくなっていることがわかる。これは、面取り部を設けることでホルダの剛性が最適化されたためだと考えられる。
【００３５】
図１４は、比較例１のホルダと比較例２のホルダについて、フォーカシング方向における周波数特性をシミュレーションで解析したグラフである。図１５は、比較例１のホルダと比較例２のホルダについて、トラッキング方向における周波数特性をシミュレーションで解析したグラフである。図１４、１５から明らかなように、補強壁を設けないホルダにおいては、面取り部の有無により共振特性の差は殆どないといえる。
【００３６】
図１６は、実施例２のホルダと実施例３のホルダについて、フォーカシング方向における周波数特性をシミュレーションで解析したグラフである。図１７は、実施例２のホルダと実施例３のホルダについて、トラッキング方向における周波数特性をシミュレーションで解析したグラフである。図１６、１７から明らかなように、フォーカシング方向においては、実施例２のホルダと実施例３のホルダの剛性はほぼ同じであるが、トラッキング方向においては、側壁と補強壁との間を埋めないホルダの方が、共振点が高周波側に移動し且つ振幅が小さくなっていることがわかる。これは、側壁と補強壁との間の空間により、ホルダの剛性が最適化されたためだと考えられる。
【００３７】
図１８は、実施例４のホルダと実施例３のホルダについて、フォーカシング方向における周波数特性をシミュレーションで解析したグラフである。図１９は、実施例４のホルダと実施例３のホルダについて、トラッキング方向における周波数特性をシミュレーションで解析したグラフである。図１８、１９から明らかなように、側壁と補強壁との間を埋めたホルダにおいては、面取り部の有無により共振特性の差は殆どないといえる。
【００３８】
更に本発明者は、補強壁の個数について考察を行った。図５の実施例１に対して、切欠５ｃの片側の補強壁５ｊだけ設けた実施例２−１（補強壁１つ）と、切欠５ｃの両側の補強壁５ｊ、５ｋを設けた実施例２−２（補強壁２つ）と、切欠５ｉの両側の補強壁５ｍ、５ｎを設けた実施例２−３（逆側補強壁２つ）と、切欠５ｃの両側の補強壁５ｊ、５ｋ及び切欠５ｉの片側の補強壁５ｍを設けた実施例２−４（補強壁３つ）と、補強壁を４つ設けた実施例１と、補強壁を設けない比較例１とについて、フォーカシング方向（図２０）及びトラッキング方向（図２１）について周波数特性をシミュレーションで解析した。図２０，２１より明らかであるが、補強壁の数は多く設ける方が共振特性が優れることがわかる。また補強壁を２つだけ設ける場合には、切欠５ｃ側に設けた方が共振特性が優れることがわかる。
【００３９】
更に本発明者は、補強壁の形状について考察を行った。４つの補強壁を有する図５の実施例１に対して、大筐体の角から補強壁の取り付け位置までの長さＣ（図６参照）を０．５ｍｍとしたものを実施例２Ｃ（０．５）とし、長さＣを０．６ｍｍとしたものを実施例２Ｃ（０．６）とし、長さＣを０．７ｍｍとしたものを実施例２Ｃ（０．７）とし、長さＣを０．８ｍｍとしたものを実施例２Ｃ（０．８）とし、長さＣを０．９ｍｍとしたものを実施例２Ｃ（０．９）とし、これらと比較例１について、フォーカシング方向及びトラッキング方向について周波数特性をシミュレーションで解析した。図２２は、フォーカシング方向における利得と周波数の関係を示すグラフであり、図２３は、トラッキング方向における利得と周波数の関係を示すグラフである。
【００４０】
図２２、２３より明らかであるが、補強壁が長くなればなるほど、共振点が高周波側に移動し且つ振幅が小さくなっていることがわかる。以上をまとめると、ホルダに補強壁を設けることで共振特性が改善されることがわかった。又、スリムもしくはウルトラスリムタイプの光ピックアップ装置用のレンズ駆動装置に用いるホルダのように切欠を有する場合にも、４つの補強壁に加え面取り部を設けることで、より優れた共振特性を有するホルダを実現でき、加えて補強壁の長さを長くすることにより、更に共振特性が向上することがわかった。
【００４１】
図２４は、本実施の変形例にかかるホルダ５’を切断して示す斜視図である。図２４において、大筐体５Ｘの側壁５ｅに形成された面取り部５ｐに対して、側壁５ｅにつながる補強壁５ｋに形成されたテーパ部５ｓは、切欠５ｃ内を通過して立ち上げミラー１５に入射する光束Ｌの光軸直交方向において、面取り部５ｐよりも立ち上げミラー１５から離れて配置されるように大きく傾いている。これによりテーパ部５ｓと立ち上げミラー１５との干渉が回避される。尚、テーパ部５ｓは、面取り部５ｐに対して段付きされた形状であっても良い。
【００４２】
以上、本発明を実施の形態を参照して説明してきたが、本発明は上記実施の形態に限定して解釈されるべきではなく、適宜変更・改良が可能であることはもちろんである。例えば、ホルダの素材は樹脂に限らず、アルミニウム合金やマグネシウム合金等の金属を用いることもできる。例えば、フォーカスコイルを一層だけ設けるようにしても良い。
【図面の簡単な説明】
【００４３】
【図１】本実施の形態にかかるレンズ駆動装置の斜視図である。
【図２】本実施の形態のレンズ駆動装置におけるホルダ周辺を、図１の矢印II方向から見た図である。
【図３】立ち上げミラー１５の斜視図である。
【図４】比較例１にかかるホルダ５Ａを斜め下方から見た斜視図である。
【図５】実施例１にかかるホルダ５Ｂを斜め下方から見た斜視図である。
【図６】実施例２にかかるホルダ５Ｃを斜め下方から見た斜視図である。
【図７】比較例２にかかるホルダ５Ｄを斜め下方から見た斜視図である。
【図８】実施例３にかかるホルダ５Ｅを斜め下方から見た斜視図である。
【図９】実施例４にかかるホルダ５Ｆを斜め下方から見た斜視図である。
【図１０】比較例１のホルダと実施例１のホルダについて、フォーカシング方向における周波数特性をシミュレーションで解析したグラフである。
【図１１】比較例１のホルダと実施例１のホルダについて、トラッキング方向における周波数特性をシミュレーションで解析したグラフである。
【図１２】実施例１のホルダと実施例２のホルダについて、フォーカシング方向における周波数特性をシミュレーションで解析したグラフである。
【図１３】実施例１のホルダと実施例２のホルダについて、トラッキング方向における周波数特性をシミュレーションで解析したグラフである。
【図１４】比較例１のホルダと比較例２のホルダについて、フォーカシング方向における周波数特性をシミュレーションで解析したグラフである。
【図１５】比較例１のホルダと比較例２のホルダについて、トラッキング方向における周波数特性をシミュレーションで解析したグラフである。
【図１６】実施例２のホルダと実施例３のホルダについて、フォーカシング方向における周波数特性をシミュレーションで解析したグラフである。
【図１７】実施例２のホルダと実施例３のホルダについて、トラッキング方向における周波数特性をシミュレーションで解析したグラフである。
【図１８】実施例４のホルダと実施例３のホルダについて、フォーカシング方向における周波数特性をシミュレーションで解析したグラフである。
【図１９】実施例４のホルダと実施例３のホルダについて、トラッキング方向における周波数特性をシミュレーションで解析したグラフである。
【図２０】ホルダにおける補強壁の個数を変えてフォーカシング方向における周波数特性をシミュレーションで解析したグラフである。
【図２１】ホルダにおける補強壁の個数を変えてトラッキング方向における周波数特性をシミュレーションで解析したグラフである。
【図２２】ホルダにおける補強壁の長さを変えてフォーカシング方向における利得と周波数の関係を示すグラフである。
【図２３】ホルダにおける補強壁の長さを変えてトラッキング方向における利得と周波数の関係を示すグラフである。
【図２４】本実施の変形例にかかるホルダ５’を切断して示す斜視図である。
【符号の説明】
【００４４】
１ ベース
２ 筐体
４ ワイヤ
５ ホルダ
５ａ 矩形開口
５ｃ 切欠
５ｄ 取り付け面
５ｅ、５ｆ、５ｇ、５ｈ  側壁
５ｊ、５ｋ、５ｍ、５ｎ  補強壁
５ｐ、５ｑ 面取り部
５ｒ，５ｓ，５ｔ，５ｕ  テーパ部
６ 対物レンズ
７Ａ〜７Ｄ ヨーク
８Ａ〜８Ｄ ヨーク
１０Ａ〜１０Ｄ 磁石
１１Ａ〜１１Ｄ トラッキングコイル
１４ 固定具
Ｇ１  第１コイル群
Ｇ２  第２コイル群
【図１】
2008159100.tif 000003
【図２】
2008159100.tif 000004
【図３】
2008159100.tif 000005
【図４】
2008159100.tif 000006
【図５】
2008159100.tif 000007
【図６】
2008159100.tif 000008
【図７】
2008159100.tif 000009
【図８】
2008159100.tif 000010
【図９】
2008159100.tif 000011
【図１０】
2008159100.tif 000012
【図１１】
2008159100.tif 000013
【図１２】
2008159100.tif 000014
【図１３】
2008159100.tif 000015
【図１４】
2008159100.tif 000016
【図１５】
2008159100.tif 000017
【図１６】
2008159100.tif 000018
【図１７】
2008159100.tif 000019
【図１８】
2008159100.tif 000020
【図１９】
2008159100.tif 000021
【図２０】
2008159100.tif 000022
【図２１】
2008159100.tif 000023
【図２２】
2008159100.tif 000024
【図２３】
2008159100.tif 000025
【図２４】
2008159100.tif 000026